(57)【要約】【課題】  動画像の取得中に、露出追従範囲が狭くなることを抑制しつつ、輝度変化に応じて素早く露出制御を実行すること。【解決手段】  撮像手段と、露出制御に関わる第１のパラメータと第２のパラメータを変更させるように露出制御を実行する露出制御手段と、輝度変化を検出する輝度変化検出手段とを有し、第２のパラメータを所定の露出の分変更させるのに必要な時間は第１のパラメータを所定の露出の分変更させるのに必要な時間よりも短く、露出制御手段は、動画像の取得中は、第２のパラメータが第１の値のときに輝度変化を検出したことに応じ、第２のパラメータを第１の値から変化後の輝度に基づく第２の値に一度に変更させた後に、第１のパラメータを変化後の輝度に基づく値へと変更させ、当該変更の期間で第２のパラメータを第２の値から第１の値に段階的に変更させるように制御することを特徴とする構成とした。【選択図】  図２
2017028637.tif 000002
【特許請求の範囲】
【請求項１】
被写体を撮像する撮像手段と、
露出制御に関わる第１のパラメータと当該第１のパラメータとは異なる第２のパラメータのうち、少なくとも１つを変更させるように露出制御を実行する露出制御手段と、
被写体の輝度変化を検出する輝度変化検出手段と、
を有し、
前記第２のパラメータを所定の露出の分変更させるのに必要な時間は、前記第１のパラメータを前記所定の露出の分変更させるのに必要な時間よりも短く、
前記露出制御手段は、前記撮像手段を用いた動画像の取得中は、前記第２のパラメータが第１の値であるときに前記輝度変化検出手段が輝度変化を検出したことに応じて、前記第２のパラメータを前記第１の値から当該変化後の輝度に基づく第２の値に一度に変更させた後に、前記第１のパラメータを当該変化後の輝度に基づく値へと変更させ、当該第１のパラメータを当該変化後の輝度に基づく値へと変更させる期間で、前記第２のパラメータを前記第２の値から前記第１の値に段階的に変更させるように制御することを特徴とする撮像装置。
【請求項２】
前記第１のパラメーターおよび前記第２のパラメーターのそれぞれには、変更可能な範囲が予め設定されており、
前記第２のパラメーターの前記第１の値は、露出を明るい側および暗い側の両方に変更可能な範囲が、前記第２のパラメーターの前記第２の値よりも広いことを特徴とする請求項１に記載の撮像装置。
【請求項３】
前記露出制御手段は、前記撮像手段を用いた動画像の取得中は、前記第２のパラメータが前記第１の値であるときに前記輝度変化検出手段が輝度変化を検出したことに応じて、前記第２のパラメータが前記第１の値から前記第２の値になるまで、前記第２のパラメータのみを変更させるように制御することを特徴とする請求項２に記載の撮像装置。
【請求項４】
前記露出制御手段は、前記撮像手段を用いた動画像の取得中は、前記第２のパラメータが前記第１の値であるときに前記輝度変化検出手段が輝度変化を検出したことに応じて、前記第２のパラメータを前記第２の値へと変更させた後に、前記第１の値と前記第２の値の差異に対応した露出を補償するように、前記第１のパラメータを変更させるように制御することを特徴とする請求項１乃至３の何れか一項に記載の撮像装置。
【請求項５】
前記第１のパラメーターは、前記撮像装置を構成する各部の機械的な動作が主体となる露出制御に関するパラメーターであって、
前記第２のパラメーターは、前記撮像装置を構成する各部の電気的な動作が主体となる露出制御に関するパラメーターであることを特徴とする請求項１乃至４の何れか一項に記載の撮像装置。
【請求項６】
前記第１のパラメータは、機械的な動作が主体となる露出制御に関わる絞り値と、機械的な動作が主体となる露出制御に関わるＮＤフィルタの光の透過率のうちの少なくとも１つを含んでいることを特徴とする請求項５に記載の撮像装置。
【請求項７】
前記第２のパラメータは、電気的な動作が主体となる露出制御に関わる電子シャッター速度と、電気的な動作が主体となる露出制御に関わるゲイン量と、電気的な動作が主体となる露出制御に関わるＮＤフィルタの光の透過率のうちの少なくとも１つを含んでいることを特徴とする請求項５又は６に記載の撮像装置。
【請求項８】
前記第２のパラメータは、電子シャッター速度とゲイン量を含んでおり、
前記露出制御手段は、前記輝度変化検出手段が、前記輝度変化検出手段が、輝度変化を検出する前よりも露出を明るい側へと変更する必要がある輝度変化を検出した場合はシャッター速度を優先して変更することを特徴とする請求項７に記載の撮像装置。
【請求項９】
前記輝度変化検出手段は、外部に映し出された資料を連続して撮像することで動画像を取得する場合に、前記資料の切り替わりを検出したことに応じて、輝度変化を検出することを特徴とする請求項１乃至８の何れか一項に記載の撮像装置。
【請求項１０】
前記輝度変化検出手段は、外部装置により外部に映し出された資料を撮像する場合に、前記外部装置、または当該外部装置に接続された機器からの情報に基づいて、前記資料の切り替わりを検出したことに応じて、輝度変化を検出することを特徴とする請求項１乃至９の何れか一項に記載の撮像装置。
【請求項１１】
被写体を撮像する撮像手段を備えた撮像装置の制御方法であって、
露出制御に関する第１のパラメータと当該第１のパラメータとは異なる第２のパラメータのうち、少なくとも１つを変更させるように露出制御を実行する露出制御工程と、
被写体の輝度変化を検出する検出工程と、
を有し、
前記第２のパラメータを所定の露出の分変更させるのに必要な時間は、前記第１のパラメータを前記所定の露出の分変更させるのに必要な時間よりも短く、
前記露出制御工程では、前記撮像手段を用いた動画像の取得中に、前記第２のパラメータが第１の値であるときに前記検出工程で輝度変化を検出したことに応じて、前記第２のパラメータを前記第１の値から当該変化後の輝度に基づく第２の値に一度に変更させた後に、前記第１のパラメータを当該変化後の輝度に基づく値へと変更させ、当該第１のパラメータを当該変化後の輝度に基づく値へと変更させる期間で、前記第２のパラメータを前記第２の値から前記第１の値に段階的に変更させるように制御することを特徴とする撮像装置の制御方法。
【請求項１２】
請求項１１に記載の撮像装置の制御方法をコンピュータで実行させるためのコンピュータで読み取り可能なプログラム。
【発明の詳細な説明】
【技術分野】
【０００１】
本発明は、被写体を連続して撮像することで動画像を取得する撮像装置、その制御方法およびプログラムに関する。
【背景技術】
【０００２】
動画像を取得する場合に、動画像の明るさが被写体の輝度変化に応じた明るさとなるように、被写体の輝度変化に応じて、動画像の取得中の露出を段階的に変更する撮像装置が特許文献１で提案されている。
【先行技術文献】
【特許文献】
【０００３】
【特許文献１】特開２００９−１１８０１２号公報
【発明の概要】
【発明が解決しようとする課題】
【０００４】
これに対して、動画像を取得する場合であっても、被写体の輝度変化に応じて、動画像が当該変化後の輝度に対応した明るさとなるように、素早く露出を変更したいシーンもある。上述したシーンとして、例えば、プレゼンテーションなどにおいて、外部に映し出された資料（画像）等を撮像する場合がある。この場合、資料の内容が素早く切り替わることに応じて、資料の明るさも大きく変化する。したがって、外部に映し出された資料を撮像する場合は、資料の内容が鮮明となるように、当該資料の明るさが変化したことに応じて素早く露出を変更することが望ましい。
【０００５】
しかしながら、特許文献１に記載の撮像装置は露出を段階的に変更するため、上述したシーンであっても、被写体の輝度変化に応じて、当該変化後の輝度に対応した明るさとなるように、素早く露出を変更することができない。したがって、この場合に取得する動画像においては、資料の内容が不鮮明な状態が長く続いてしまう。
【０００６】
この問題を解決するためには、露出制御に関する複数の露出パラメータのうち、露出を変更する速度が速いパラメータを変更させることで、露出制御を実行することが望ましい。すなわち、複数の露出パラメータのうち、所定の露出の分変更させるのに必要な時間（以下、露出変更時間）が短いパラメータを変更させることで露出制御を実行することが望ましい。
【０００７】
しかしながら、露出変更時間が短い露出パラメータだけ変更して露出制御をすると、被写体の輝度変化に追従して露出制御が可能な範囲（以下、露出追従範囲と称す）が狭くなってしまう。
【０００８】
本発明の目的は、動画像の取得中に、露出追従範囲が狭くなることを抑制しつつ、輝度変化に応じて素早く露出制御を実行することである。
【課題を解決するための手段】
【０００９】
上記目的を達成する本発明の撮像装置は、被写体を撮像する撮像手段と、露出制御に関わる第１のパラメータと当該第１のパラメータとは異なる第２のパラメータのうち、少なくとも１つを変更させるように露出制御を実行する露出制御手段と、被写体の輝度変化を検出する輝度変化検出手段と、を有し、前記第２のパラメータを所定の露出の分変更させるのに必要な時間は、前記第１のパラメータを前記所定の露出の分変更させるのに必要な時間よりも短く、前記露出制御手段は、前記撮像手段を用いた動画像の取得中は、前記第２のパラメータが第１の値であるときに前記輝度変化検出手段が輝度変化を検出したことに応じて、前記第２のパラメータを前記第１の値から当該変化後の輝度に基づく第２の値に一度に変更させた後に、前記第１のパラメータを当該変化後の輝度に基づく値へと変更させ、当該第１のパラメータを当該変化後の輝度に基づく値へと変更させる期間で、前記第２のパラメータを前記第２の値から前記第１の値に段階的に変更させるように制御することを特徴とする。
【発明の効果】
【００１０】
本発明によれば、動画像の取得中に、露出追従範囲が狭くなることを抑制しつつ、輝度変化に応じて素早く露出制御を実行することができる。
【図面の簡単な説明】
【００１１】
【図１】発明を実施した撮像装置の実施形態であるデジタルビデオカムコーダー１００の構成を説明するブロック図である。
【図２】本発明の第１実施形態に係る、資料切り替わり時の露出制御に関する処理を説明するフローチャートである。
【図３】本発明の第１実施形態に係る露出制御処理において、第１のパラメーターの変更可能な範囲を例示的に説明した図である。
【図４】本発明の第１実施形態に係る、露出制御処理での露出パラメーターの変化を例示的に説明する図である。
【図５】本発明の第２実施形態に係る露出制御処理において、第２のパラメーターの変更可能な範囲と待機状態を例示的に説明した図である。
【図６】本発明の第３実施形態に係る露出制御処理において、第２のパラメーターの変更可能な範囲と待機状態を例示的に説明した図である。
【発明を実施するための形態】
【００１２】
以下に、本発明の好ましい実施の形態を、添付の図面に基づいて説明する。
【００１３】
（第１実施形態）
（デジタルビデオカムコーダー１００の基本構成）
以下、図１を参照してデジタルビデオカムコーダー（以下、単にビデオと称す）１００の基本構成を説明する。図１は、本発明を実施した撮像装置の実施形態であるビデオ１００の構成を説明するブロック図である。
【００１４】
撮像レンズ１０１は、ズームレンズ、フォーカスレンズ、シフトレンズなどを備え、後述する撮像素子１０４側へと、被写体の光学像（光束）を導く撮像用のレンズ群である。なお、図１では、説明のために、撮像レンズ１０１を構成する複数のレンズ群を１枚のレンズとして図示している。
【００１５】
絞り１０２は、撮像レンズ１０１を通過して、ビデオ１００の内部に入射する光量を調節する光量調節部材である。
【００１６】
ＮＤフィルタ１０３は、撮像レンズ１０１および絞り１０２を通過して、ビデオ１００の内部に入射する光量を減光する減光手段である。本実施形態のＮＤフィルタ１０３は、光の透過率が単一の光学部材を採用する。なお、ＮＤフィルタ１０３として、透過率が異なる複数の光学部材を連携して動作させるものや、面内の位置に応じて透過率が異なるものを採用してもよい。
【００１７】
撮像素子１０４は、電荷蓄積型の固体撮像素子であって、撮像レンズ１０１を介して入射した光束を光電変換してアナログ画像データを生成する撮像手段である。なお、撮像素子１０４としては、カラーフィルターが所謂ベイヤー配列上に並べられたＣＭＯＳイメージセンサを採用するが、ＣＣＤを採用するような構成であってもよい。
【００１８】
本実施形態では、上述した撮像素子１０４によるアナログ画像データの生成までの工程を被写体の撮像とするが、後述するデジタル画像データの出力までを、被写体の撮像としてもよい。なお、ビデオ１００は、撮像素子１０４を用いて被写体を連続して撮像することで、当該連続した撮像により得られた画像データに基づく動画像を取得することができる。
【００１９】
なお、本実施形態では、被写体を撮像して動画像を取得するモード（撮像モード）として、モニタやスクリーンなど、外部の表示装置を用いて映し出された資料（画像）を撮像するのに適した動作を行うプレゼンモードを設定できる。そして、本実施形態のビデオ１００は、撮像モードがプレゼンモードに設定されている場合に、撮像画面内の資料部分の明るさに適した露出制御を実行することができる。この詳細については、露出制御処理の説明で後述する。
【００２０】
Ａ／Ｄ変換部１０５は、撮像素子１０４から入力されたアナログ画像データをデジタル画像データに変換する変換手段である。なお、Ａ／Ｄ変換部１０５は、後述する露出制御部１１２からの指示に応じて、デジタル画像データへの変換前に、アナログ画像データのアナログゲイン量を調節する。
【００２１】
ゲイン制御部１０６は、露出制御部１１２からの指示に応じてＡ／Ｄ変換部１０５から入力されたデジタル画像データに対する、デジタルゲイン量を制御するゲイン制御手段である。また、ゲイン制御部１０６は、露出制御部１１２からの指示に応じて、各カラーチャネルに対するゲイン量を制御し、デジタル画像データの黒レベルの補正やホワイトバランス（ＷＢ）を調整する。
【００２２】
信号処理部１０７は、ゲイン制御部１０６から入力されたデジタル画像データに対して種々の処理を施す信号処理手段である。また、信号処理部１０７は、デジタル画像データを、後述するメモリ１１０、およびビデオ１００に着脱可能な記録媒体（不図示）に記録に適した、記録用の画像データに変換する。また、信号処理部１０７は、デジタル画像データを、後述するモニタ１０８での表示に適した、表示用のアナログ画像データに変換する。
【００２３】
モニタ１０８は、ＴＦＴ型ＬＣＤ（薄膜トランジスタ駆動型液晶表示器）を採用した表示手段であって、信号処理部１０７から入力された表示用のアナログ画像データを表示する。なお、モニタ１０８として、ＴＦＴ型ＬＣＤ以外の構成を採用してもよい。
【００２４】
システム制御部１０９は、ビデオ１００の各部の動作を統括的に制御する制御手段である。システム制御部１０９は、メモリ１１０、ＣＰＵ１１１、露出制御部１１２、測光部１１３、輝度変化検出部１１４、通信制御部１１５、無線通信部１１６、バス１１７を備えている。
【００２５】
メモリ１１０は、電気的に消去や記憶が可能な記憶手段であって、例えば、フラッシュメモリ等に代表されるＥＥＰＲＯＭ等である。メモリ１１０には、ビデオ１００の動作に関わる種々のデータとして、例えば、ビデオ１００で実行される動作用の定数、種々の露出条件（例えば、プログラム線図）、算出式などが格納されている。ＣＰＵ１１１は、ビデオ１００の各動作を実行する処理手段である。
【００２６】
露出制御部１１２は、露出制御を実行する露出制御手段である。露出制御部１１２により露出制御が実行されることで、露出制御に関わるパラメータ（露出パラメータ）が変更させる。なお、各露出パラメータとしては、絞り１０２の開度に関わる絞り値、ＮＤフィルタ１０３の透過率（以下、単に透過率と称す）、撮像素子１０４の蓄積時間に関する電子シャッター速度（以下、単にシャッター速度と称す）、およびゲイン量である。当該ゲイン量は、アナログゲイン量とデジタルゲイン量の両方を含む。本実施形態では、目標露出に対応した値となるように各露出パラメータを変更させる制御を露出制御とする。
【００２７】
露出制御について、具体的に説明する。露出制御部１１２は、後述する測光部１１３で取得した測光値やメモリ１１０に予め格納された情報に基づいて、目標露出を算出する。そして、露出制御部１１２は、算出した露出に対して、絞り１０２、ＮＤフィルタ１０３、撮像素子１０４、Ａ／Ｄ変換部１０５、ゲイン制御部１０６などの露出要素を駆動および動作させることで、露出制御を実行する。この構成により、各露出要素に対応する露出パラメータが、目標露出に対応した値へと変更される。
【００２８】
以上説明したように、本実施形態では、上述した目標露出に対応した各露出パラメータが設定され、当該露出パラメータに到達するように、各露出パラメータに対応する絞り１０２やＮＤフィルタ１０３などの露出要素を動作させることで露出制御を実行する。
【００２９】
なお、本実施形態では、上述した露出パラメータのうち、少なくとも１つを変更させるように露出制御を実行する。具体的には、目標露出を達成するために、露出パラメータごとに目標値を設定し、各露出パラメータのうちの所定のパラメータを、当該目標値に向けて変更させることで、露出制御を実行する。
【００３０】
ここで、露出を変更する速度は、当該露出の変更を実現する露出パラメータに応じて異なる。換言すると、所定の露出の分露出を変更するのに必要な時間（露出変更時間）は、露出パラメータごとに異なる。以下、具体的に説明する。
【００３１】
絞り値および透過率の変更は、絞り１０２の開度の変更や、ＮＤフィルタ１０３の挿抜（または位置変更）など、ビデオ１００の各部の機械的な動作が主体となって行われる。これに対して、シャッター速度およびゲイン量の変更は、撮像素子１０４の蓄積時間や画像データにかけるゲイン量の変更など、ビデオ１００の各部の電気的な動作が主体となって行われる。ビデオ１００の各部を機械的に動作させるのに必要な時間は、ビデオ１００の各部を電気的に動作させるのに必要な時間よりも長いので、絞り値や透過率は、シャッター速度やゲイン量に比べて、露出変更時間が長い露出パラメータである。すなわち、絞り値や透過率を変更させるのに必要な時間は、シャッター速度やゲイン量を変更させるのに必要な時間よりも、相対的に長くなる。例えば、絞り値を露出の一段分変化させるのに必要な時間は、ゲイン量を露出の一段分変化させるのに必要な時間よりも長くなる。
【００３２】
本実施形態では、各露出パラメーターのうち、絞り値およびＮＤフィルタ１０３の光の透過率を第１のパラメーターと称する。また、上述した露出パラメータのうち、（電子）シャッター速度およびゲイン量を第２のパラメータと称する。したがって、本実施形態のビデオ１００では、第１のパラメータを変更させるよりも、第２のパラメータを変更させる方が、露出変更時間が短い。
【００３３】
図１に戻り、測光部１１３は、信号処理部１０７から入力された画像データに基づいて、測光値を取得する測光手段である。具体的に、測光部１１３は、取得した画像データを複数の領域（ブロック）に分割し、各ブロックの（平均）輝度値を算出する。なお、当該各ブロックの輝度値は、撮像画面における各ブロックの位置情報と対応付けられてメモリ１１０に記録される。
【００３４】
次に、測光部１１３は、算出した各ブロックの輝度値に対して、予め設定された測光用の重み付けデータを適用する。そして、測光部１１３は、重み付けが適用された各ブロックの輝度値を積分して代表輝度値（測光値）を取得し、当該測光値を露出制御部１１２、およびメモリ１１０に出力する。
【００３５】
なお、本実施形態では、測光部１１３が撮像素子１０４からの入力に基づいて測光値を取得する構成だが、撮像素子１０４以外のセンサーから出力された信号に基づいて取得するような構成であってもよい。本実施形態では、測光部１１３は、動画像を取得している際の１フレーム毎に、複数のブロックごとの輝度値を取得して測光値を算出する構成である。
【００３６】
輝度変化検出部１１４は、測光部１１３の測光結果に基づいて、被写体の輝度変化を検出する輝度変化検出手段である。具体的に、輝度変化検出部１１４は、測光部１１３で取得した複数のブロックごとの輝度値に基づいて、フレーム間の輝度値の変化を比較することで、被写体の輝度変化を検出することができる。この詳細については、被写体の輝度変化検出方法の説明で後述する。
【００３７】
通信制御部１１５は、ビデオ１００と外部装置との通信を制御する通信制御手段である。通信制御部１１５は、外部入力装置２００が、ビデオ１００の通信コネクタ（不図示）に接続された際に、外部入力装置２００側との情報の送受信を行う。無線通信部１１６は、外部装置との無線通信を実行する通信モジュールであって、通信制御部１１５の指示に応じて、外部装置側との情報の送受信を行う。
【００３８】
バス１１７は、ビデオ１００の内部の共通経路である。バス１１７は、信号処理部１０７、モニタ１０８、システム制御部１０９、メモリ１１０、ＣＰＵ１１１、露出制御部１１２、測光部１１３、輝度変化検出部１１４、通信制御部１１５、無線通信部１１６に接続されている。以上が、ビデオ１００の基本構成である。
【００３９】
（デジタルビデオカムコーダー１００の撮像動作）
以下、ビデオ１００による被写体の基本的な撮像動作について説明する。ユーザーによりレリーズスイッチ（不図示）がＳＷ１状態（例えば、半押し）にされると、露出制御部１１２は、撮像レンズ１０１の駆動を制御してＡＦ（Ａｕｔｏ  Ｆｏｃｕｓ）処理を実行する。
【００４０】
次に、露出制御部１１２は、メモリ１１０に格納されている既定の露出を読み出し、当該露出に応じた露出パラメーターに基づいて、ビデオ１００の各部を動作させて、被写体を撮像する。
【００４１】
次に、測光部１１３は、撮像により取得されたデジタル画像データ（以降の説明では、単に画像と称す）を信号処理部１０７から取得し、当該画像に基づいて測光値を取得する。
【００４２】
次に、露出制御部１１２は、ユーザーによりレリーズスイッチがＳＷ２状態（例えば、全押し）にされたことに応じて、先に取得した測光値に基づく目標露出を算出する。そして、露出制御部１１２は、当該目標露出に応じて、ビデオ１００の各部を動作させ、露出パラメータを変更させる。その後、当該露出パラメーターの変更により、露出が目標露出に到達した状態で、被写体を撮像（本撮像）する。
【００４３】
次に、信号処理部１０７は、撮像により取得された画像に対して種々の処理を施す。そして、ＣＰＵ１１１は、信号処理部１０７により処理が施された画像をメモリ１１０に記録する。また、ＣＰＵ１１１は、信号処理部１０７により処理が施された画像をモニタ１０８で表示する。本実施形態のビデオ１００は、以上説明した動作を、予め設定されたフレームレートに基づいてフレーム毎に実行することで、動画像の再生および取得ができる。以上が本実施形態に係る撮像動作である。
【００４４】
なお、本実施形態の露出制御は、メモリ１１０に予め格納されているプログラム線図に基づいて行われるが、撮像モードがプレゼンモードに設定されている場合は、優先的に変更する露出パラメータが予め決められている。この構成により、本実施形態のビデオ１００は、撮像画面内の資料部分の輝度変化に応じて、素早く露出制御を実行することができる。この詳細については、露出制御処理の説明で後述する。
【００４５】
（被写体の輝度変化検出方法）
以下、輝度変化検出部１１４によって、被写体の輝度変化を検出する方法について説明する。なお、以降は、撮像モードがプレゼンモードに設定されているときの動画取得中に、輝度変化を検出する場合について説明する。
【００４６】
まず、測光部１１３は、動画取得中の１フレーム毎に、複数のブロックごとに輝度値を取得する。なお、フレーム毎の輝度値はメモリ１１０に記録される。
【００４７】
次に、輝度変化検出部１１４は、メモリ１１０に記録された輝度値に関する情報を読み出し、撮像画面内の同じ位置における、前フレームの輝度値と現在のフレームの輝度値とを比較する。当該輝度値の比較は、複数のブロックごとに行われる。
【００４８】
上述したフレーム間の輝度値の比較として、本実施形態では、前フレームにおける各ブロックの輝度値と、現在のフレームにおける各ブロックの輝度値との差分の絶対値（輝度差）を算出する。
【００４９】
次に、輝度変化検出部１１４は、先に算出した輝度差と予め設定されている閾値αとを比較し、輝度差が閾値α以上となるブロックの数をカウントする。そして、輝度変化検出部１１４は、カウントしたブロックの数が所定数Ｎを超える場合に、資料部分の輝度が変化したことを検出（判定）する。この検出結果は、露出制御部１１２に送信される。
【００５０】
ここで、上述した閾値αおよび所定数Ｎについて説明する。本実施形態では、撮像モードがプレゼンモードに設定されている場合を想定しているため、ユーザーが撮像を意図する主要な被写体は、外部に映し出された資料（画像）である確率が高い。この場合、撮像画面内の資料部分の明るさに適した露出にするために、被写体の輝度変化として、資料全体の輝度が変化したことを検出できることが望ましい。したがって、上述した閾値αおよび所定数Ｎとしては、資料の切り替わりやアニメーション効果の発動による資料部分の輝度変化を検出するのに適した値を設定することが望ましい。
【００５１】
そこで、本実施形態では、上述した閾値αとして、輝度値の１段分の輝度差を設定する。また、前述した所定数Ｎとして、撮像画面の全ブロックに対する３割のブロック数を、所定数Ｎとする。例えば、撮像画面全体のブロック数が１００個である場合、所定数Ｎ＝３３とする。この構成により、資料の背景色や文字色の変化や、資料全体に亘るアニメーション効果の発動など、資料の一部分ではなく、資料全体の輝度が変化したことを効果的に検出できる。
【００５２】
なお、閾値αとしては、少なくとも、輝度差が閾値αよりも小さい場合に、前フレームの輝度値に対応した露出で取得する動画像において、資料部分の内容が不鮮明にならないような値であればよい。また、所定数Ｎとしては、撮像画面（画角）全体に占める資料部分の割合として適当な数であればどのようなものを採用してもよい。
【００５３】
なお、上述した輝度値（および測光値）の一段分とは、各露出パラメーターを変更させて露出を１段分変化させたときの明るさであって、ＡＰＥＸ単位における１Ｅｖに相当する。ここで、ゲイン量については、１ｄＢを露出の１／６段分とする。そして、ゲイン量の０ｄＢは、撮影感度に換算すると、ＩＳＯ１００となる。
【００５４】
また、本実施形態では、１フレーム毎に輝度値を取得して（被写体を測光して）、被写体の輝度変化を検出する場合について説明したが、これに限定されるものではない。例えば、通信制御部１１５を介して、資料を映し出している外部の表示装置、または、当該表示装置に接続された機器から、資料の切り替かえに関する情報を受信したことに応じて、輝度変化検出部１１４が、被写体の輝度変化を検出する構成であってもよい。すなわち、資料の切り替わりに関する外部からの情報に基づいて、被写体の輝度変化を検出する構成であってもよい。なお、上述した表示装置に接続された装置としては、例えば、ＰＣやリモコンなどが想定される。以上が、被写体の輝度変化を検出する方法である。
【００５５】
（露出制御処理）
以下、ビデオ１００による動画取得中（撮像中）の露出制御について、図２から図４を参照して説明する。
【００５６】
前述したように、動画像の取得中は被写体の輝度変化に応じて、素早く露出を変更したいシーンがある。例えば、プレゼンテーションで外部に映し出された資料を動画像として記録する場合は、プレゼンテーションの進行に伴い資料の切り替わりやアニメーション効果の発動などに応じて、資料部分の輝度が瞬時に変化する。この場合、資料部分の輝度変化に応じて、素早く露出を変更することが望ましい。
【００５７】
しかしながら、露出変更時間が短い露出パラメータを変更可能な範囲の限度まで変更させる場合は、資料の輝度が更に変化したことに応じて、当該露出変更時間が短い露出パラメータを変更ないため、資料の内容が不鮮明な状態が長く続いてしまう。
【００５８】
そこで、本実施形態のビデオ１００は、露出変更範囲が短い露出パラメータの露出追従範囲が狭くなることを抑制しつつ、被写体の輝度変化に応じて、当該露出変更時間が短い露出パラメータを優先的に変更させることで、この問題に対応する。
【００５９】
以下、この詳細について図２を参照して説明する。図２は、本発明の第１実施形態に係る、資料切り替わり時の露出制御に関する処理（以下、露出制御処理と称す）を説明するフローチャートである。なお、以降の説明は、ビデオ１００の撮像モードがプレゼンモードに設定されている場合は想定する。
【００６０】
まず、現在処理中のフレームで処理対象とする画像が取得されたことに応じて、露出制御処理が開始されると、ステップＳ２０１で測光部１１３は、被写体を測光して測光値を取得する。そして、露出制御部１１２は、取得した測光値に対応した目標露出を算出する。なお、当該目標測光値および目標露出は、撮像画面全体の明るさに対する値である。
【００６１】
次に、ステップＳ２０２で輝度変化検出部１１４は、前フレームの輝度値と現在のフレームの輝度値とを比較して、被写体の輝度変化を検出する。被写体の輝度変化の検出方法は、輝度変化検出部１１４の説明で前述した通りである。輝度変化検出部１１４が、被写体の輝度変化を検出しない場合は、現在処理中の露出制御処理を終了する。そして、新たに画像が取得された場合は、当該新たに取得した画像に基づいて露出制御処理を実行する。
【００６２】
次に、ステップＳ２０３で露出制御部１１２は、露出変更時間が短い露出パラメータである、シャッター速度およびゲイン量（第２のパラメータ）を変更させるように露出制御を実行する。なお、本実施形態では、シャッター速度およびゲイン量を優先的に変更させて実行する露出制御を、高速ＡＥ制御と称す。
【００６３】
次に、ステップＳ２０４で露出制御部１１２は、高速ＡＥ制御により、現在の露出が先に設定した目標露出に到達したか否かを判定する。ステップＳ２０４の処理は、高速ＡＥ制御が完了するまで繰り返す。
【００６４】
以上説明したように、本実施形態では、資料の輝度変化を検出してから目標露出を設定するまで、上述した高速ＡＥ制御を実行する。この構成により、本実施形態のビデオ１００は、資料の輝度変化後に、出来るだけ短い時間で露出を変更して、目標露出に到達することができる。
【００６５】
次に、ステップＳ２０５で露出制御部１１２は、シャッター速度またはゲイン量（第２のパラメータ）を、前回の高速ＡＥ制御を開始する直前の値に近づくように変更する。具体的に、本実施形態のビデオ１００は、シャッター速度またはゲイン量を、ステップＳ２０３の処理が実行される直前に設定されていた値に変更する。
【００６６】
また、ステップＳ２０５で露出制御部１１２は、絞り値または透過率（第１のパラメータ）を、第２のパラメータの変更分に対応した分だけ変更する。すなわち、ステップＳ２０５で露出制御部１１２は、第２のパラメータを変更して生じた露出の差異を、第１のパラメータを変更することで補償する。例えば、ステップＳ２０５において、第２のパラメーターを明るい側へ１段分変更する場合は、第１のパラメーターを暗い側へ１段分変更する。
【００６７】
本実施形態では、ステップＳ２０５で実行する露出制御を、安定ＡＥ制御と称す。この安定ＡＥ制御について図３を参照して、具体的に説明する。図３は、本発明の第１実施形態に係る露出制御処理において、第１のパラメーターの変更可能な範囲を例示的に説明した図である。図３に図示するように、シャッター速度を変更させて制御可能な露出を６段分（６ＥＶ）とし、ゲイン量を変更させて制御可能な露出を４段分（４ＥＶ）と仮定する。
【００６８】
この場合、第２のパラメーターを変更させて露出を変更可能な範囲としては、計１０段分（１０Ｅｖ）の露出が確保される。したがって、この変更可能な範囲においては、略中央（５Ｅｖ）から離れるほど、シャッター速度またはゲイン量を変更させることができる量が減ることになる。
【００６９】
例えば、高速ＡＥ制御において、シャッター速度およびゲイン量を、図３に図示する〈１〉の位置まで変更させた後に、新たに資料の輝度変化が検出された場合を想定する。なお該〈１〉の位置のゲイン量およびシャッター速度は、露出が明るい側の限度に達している状態であって、被写体の輝度が暗い場合に適した露出である。
【００７０】
この場合、変化後の被写体の輝度が、当該変化の直前の被写体の輝度よりも暗い側に変化すると、シャッター速度およびゲイン量を変更させて露出制御を実行することができない。すなわち、高速ＡＥ制御により、変更可能な範囲の最大値付近まで、シャッター速度およびゲイン量を変更させている場合は、新たに被写体の輝度が変化しても、シャッター速度およびゲイン量を変更させることが出来ない。この状態では、被写体の輝度変化を新たに検出したことに応じて、絞り値および透過率を変更しなければならないので、被写体の明るさが不自然な状態が長く続いてしまう。本実施形態のように、外部に映し出された資料を撮像する場合は、資料の内容が不鮮明な状態が長く続いてしまう。
【００７１】
そこで、ステップＳ２０５では、高速ＡＥ制御で変更された露出を出来るだけ維持しつつ、高速ＡＥ制御完了時よりも、シャッター速度およびゲイン量の変更可能な範囲が増えるように、各露出パラメータを変更させるように制御する。すなわち、安定ＡＥ制御では、高速ＡＥ制御で変更した第２のパラメーターを、露出を明るい側および暗い側の両方に最大限移動できる値へと変更させるように制御する。そして、第２のパラメーターを変更させた分の露出の変化量（差異）は、絞り値および透過率（第１のパラメーター）を変更させることで補償する。したがって、高速ＡＥ制御を実行することで狭まった第２のパラメーターの変更可能な範囲を、安定ＡＥ制御を実行することで広くすることができる。
【００７２】
ここで、被写体の輝度変化の方向性と、各露出パラメーターを変更する方向性について説明する。例えば、輝度変化検出部１１４が、被写体の輝度が明るい側へと変化したことを検出したことに応じて、露出制御部１１２は、明るさが暗くなる側へと第２のパラメータを変更させる。その後、露出制御部１１２は、明るさが明るくなる側へと第２のパラメータを再び変更させ、第２のパラメータを変更させた分を補償するように、明るさが暗くなる側へと第１のパラメータを変更させる。
【００７３】
また、輝度変化検出部１１４が、被写体の輝度が暗い側へと変化したことを検出したことに応じて、露出制御部１１２は、明るさが明るくなる側へと第２のパラメータを変更させる。その後、露出制御部１１２は、明るさが暗くなる側へと第２のパラメータを再び変更させ、第２のパラメータを変更させた分を補償するように、明るさが明るくなる側へと第１のパラメータを変更させる。
【００７４】
なお、本実施形態の安定ＡＥ制御では、露出制御による撮像画面内での明るさの変化が大きくならないように、第１のパラメータを変更させている期間で、第２のパラメータを変更させるように露出制御を実行する。すなわち、安定ＡＥ制御では、第１のパラメータと第２のパラメータとを、略同時に変更させることで、出来るだけ目標露出を維持する構成である。具体的に、安定ＡＥ制御では、目標露出を出来るだけ維持しながら露出制御を実行するために、第１のパラメータの露出変更時間に対応させて、第２のパラメータを変更させる。
【００７５】
例えば、安定ＡＥ制御において、目標値まで絞り値を変更させるのに２フレームが必要な場合は、２フレームに分けて第２のパラメータを段階的に変更させる。すなわち、絞り１０２の開度の調節に要するフレーム数に分けて、ゲイン量またはシャッター速度を段階的に変更する。
【００７６】
以上説明した構成により、絞り値や透過率を変更させた分の露出を、ゲイン量やシャッター速度を変更させることで比較的緩やかに補償することができるので、取得する動画像における明るさ変化を極力抑制することができる。この構成により、
以上説明したように、本実施形態のビデオ１００は、高速ＡＥ制御により露出が目標露出に変更されてから、次に被写体の輝度変化が検出されるまでは、上述した安定ＡＥ制御を実行する。この構成により、被写体（資料）の輝度変化に応じて、当該変化後の輝度に応じた目標露出を素早く変更しつつ、露出変更時間が短い露出パラメータの変更可能な範囲が減少することを抑制できる。したがって、本実施形態のビデオ１００は、動画像の取得中に、露出追従範囲が狭くなることを抑制しつつ、輝度変化に応じて素早く露出制御を実行することができる。
【００７７】
なお、本実施形態では、シャッター速度およびゲイン量が、安定ＡＥ制御における目標値である場合を待機状態と称する。
【００７８】
図２に戻り、ステップＳ２０６で露出制御部１１２は、安定ＡＥ制御が完了し、シャッター速度およびゲイン量が待機状態に対応する値に変化したか否かを判定する。ステップＳ２０５の処理は、安定ＡＥ制御が完了するまで繰り返し、安定ＡＥ制御が完了したことに応じて、露出制御処理を終了する。
【００７９】
以上説明した本実施形態の露出制御処理における、各露出パラメーターの変化について、図４を参照して説明する。図４は、本発明の第１実施形態に係る、露出制御処理での露出パラメーターの変化を例示的に説明する図であって、図中の左から右に向けて時刻が経過している様子を示している。また、図４の上段部は、露出パラメーターの変化を線図で示し、中段部は、各期間における詳細な露出を示し、下段部は、各期間における資料部分の輝度変化を示している。
【００８０】
なお、説明のために、図４では、ＮＤフィルタ１０３の光の透過率は変更しないものとし、資料の輝度変化は資料の切り替わりに起因するものとする。また、図４における被写体の輝度変化は、外部に映し出された資料の切り替わりに起因するものであると仮定する。
【００８１】
図４に図示するように、まず、輝度変化検出部１１４により、被写体の輝度変化を検出するまでは、シャッター速度およびゲイン量を待機状態に対応した値に維持する（図４の待機状態〈１〉）。なお、図４では、シャッター速度が１／１２０秒、ゲイン量が０ｄＢを、上述した待機状態に対応した値とする。
【００８２】
次に、輝度変化検出部１１４により、被写体の輝度変化が検出されると、高速ＡＥ制御を実行して、目標露出に対して、ゲイン量を０ｄＢ（第１の値）から６ｄＢ（第２の値）に一度に変更させる（高速ＡＥ制御〈１〉）。
【００８３】
次に、高速ＡＥ制御により目標露出に到達した後、安定ＡＥ制御を実行して、ゲイン量を６ｄＢ（第２の値）から０ｄＢ（第１の値）へと段階的に変更させ、同時に、絞り値をＦ５．６からＦ８．０へと変更させる（安定ＡＥ制御〈１〉）。すなわち、絞り値を変更させる期間において、ゲイン量を変更させるように露出制御を実行する。当該安定ＡＥ制御によって、シャッター速度およびゲイン量は、待機状態に対応した値に変更される（待機状態〈２〉）。
【００８４】
なお、本実施形態の安定ＡＥ制御中は、新たなフレーム毎に画像を取得して被写体の輝度値を取得するが、現在処理中の露出制御処理が完了するまで新たに露出制御処理は開始しない構成である。
【００８５】
また、安定ＡＥ制御中に新たに取得した画像に基づいて被写体の輝度変化を検出した場合は、現在の安定ＡＥ制御を継続して実行しつつ、当該安定ＡＥ制御の目標値とする絞り値を優先的に変更させることで対応する。この構成により、露出追従範囲を狭めることなく、新たに検出した変化後の輝度値に対応した露出を設定することができる。なお、上述した場合において安定ＡＥ制御を継続して実行するのは、被写体の輝度が瞬時に変化するシーンにおいて、一度被写体の輝度変化が検出されてから、安定ＡＥ制御に要するフレーム内で再び被写体の輝度変化が検出される確率が低いためである。
【００８６】
次に、輝度変化検出部１１４により、前回の安定ＡＥ制御の完了後に新たに被写体の輝度変化が検出されると、再び高速ＡＥ制御を実行する。当該高速ＡＥ制御としては、目標露出に対してシャッター速度を１／１２０秒（第１の値）から１／２４０秒（第２の値）へと一度に変更させる（高速ＡＥ制御〈２〉）。
【００８７】
なお、本実施形態の高速ＡＥ制御は、待機状態におけるゲイン量が０ｄＢになるように、被写体の輝度値が明るい側に変化した場合はシャッター速度を優先して変更させることで、露出制御を実行する。この構成により、待機状態において、取得する画像のノイズ成分が増加することを抑制することができる。
【００８８】
次に、高速ＡＥ制御により目標露出に到達した後、安定ＡＥ制御を実行して、シャッター速度を１／２４０秒（第２の値）から１／１２０秒（第１の値）へと段階的に変更させると同時に、絞り値をＦ８．０からＦ５．６へと変更させる（安定ＡＥ制御〈２〉）。そして、当該安定ＡＥ制御によって、シャッター速度およびゲイン量は、待機状態に対応した値に変更される（待機状態〈３〉）。以上が、本実施形態のビデオ１００に関する露出制御処理である。
【００８９】
以上説明したように、本実施形態のビデオ１００は、被写体の輝度変化を検出した後、最初に目標露出に到達するまでは、露出変更時間が短い露出パラメータ（第２のパラメータ）を変更させるように、露出制御を実行する。そして、最初に目標露出に到達してから、次に資料の輝度変化を検出するまでは、先に変更された第２のパラメータの変更可能な範囲が増えるように、第１および第２のパラメータを変更させるように露出制御を実行する。
【００９０】
この構成により、被写体の輝度変化に応じて、当該変化後の被写体の輝度に応じた目標露出を素早く変更しつつ、露出変更時間が短い露出パラメータの変更可能な範囲が減少することを抑制することができる。したがって、本実施形態のビデオ１００は、動画像の取得中に、露出追従範囲が狭くなることを抑制しつつ、輝度変化に応じて素早く露出制御を実行することができる。
【００９１】
（第２実施形態）
本実施形態では、プレゼンモードが設定されている場合の露出制御処理において、ノイズの影響により、被写体を撮像して取得した画像（または動画像）の画質が低下することを抑制する露出制御処理について説明する。なお、デジタルビデオカムコーダー（以下、単にビデオと称す）１００の基本構成および撮像動作、被写体の輝度変化を検出する方法については、前述した第１実施形態と同一であるので説明は省略する。また、本実施形態では、露出制御処理について、前述した第１実施形態と異なる点についてのみ説明する。
【００９２】
図５は、本発明の第２実施形態に係る露出制御処理において、第２のパラメーターの変更可能な範囲と待機状態を例示的に説明した図である。なお、第２のパラメーターを変更可能な範囲は、前述した第１実施形態と同様である。
【００９３】
図５に図示するように、第２のパラメーターの変更可能な範囲が１０段分であると仮定した場合、待機状態に対応した値として、シャッター速度を１／２４０秒、ゲイン量を０ｄＢに設定する。すなわち、本実施形態では、被写体の輝度変化に応じて、出来るだけゲイン量を変更させないで露出制御を実行するように、待機状態に対応したシャッター速度およびゲイン量の目標値を設定する。換言すると、本実施形態では、被写体の輝度変化に応じて、シャッター速度を優先的に変更できるような露出を、待機状態に対応する各露出パラメータの値とする。例えば、本実施形態では、シャッター速度を露出が明るい側および暗い側の両方に±２段分以上変更させることができるような露出を、待機状態に対応した値とする。
【００９４】
この構成により、本実施形態のビデオ１００は、被写体の輝度変化を検出することに応じて、シャッター速度を優先して変更させることができるので、ゲイン量の変更に起因するノイズの増加を抑制しつつ、短い時間で露出制御を実行できる。したがって、本実施形態のビデオ１００は、動画像の取得中に、露出追従範囲が狭くなることを抑制しつつ、輝度変化に応じて素早く露出制御を実行することができる。さらに、本実施形態のビデオ１００は、被写体の輝度変化を検出したことに応じて、ゲイン量の変更に起因するノイズ増加など画質の低下を抑制しつつ、短い時間で露出制御を実行できる。
【００９５】
なお、三脚や机などにビデオ１００を固定して被写体を撮像する場合は、ユーザーの手ブレなどにより画像の品位が低下する確率は低い。したがって、三脚や机などにビデオ１００を固定して被写体を撮像する場合に、上述した露出制御処理を優先的に実行するような構成であってもよい。
【００９６】
（第３実施形態）
本実施形態では、プレゼンモードが設定されている場合の露出制御処理において、被写体を撮像して取得した画像（または動画像）の画質が、ブレの影響により低下することを抑制する露出制御処理について説明する。なお、デジタルビデオカムコーダー（以下、単にビデオと称す）１００の基本構成および撮像動作、被写体の輝度変化を検出する方法については、前述した第１実施形態と同一であるので説明は省略する。また、本実施形態では、露出制御処理について、前述した第１実施形態と異なる点についてのみ説明する。
【００９７】
図６は、本発明の第３実施形態に係る露出制御処理において、第２のパラメーターの変更可能な範囲と待機状態を例示的に説明した図である。図６に図示するように、第２のパラメータとして、ゲイン量を変更可能な範囲が４段分（４Ｅｖ）であると仮定した場合、シャッター速度を１／１２０秒で固定し、ゲイン量を１２ｄＢに設定する。すなわち、本実施形態のビデオ１００は、被写体の輝度変化に応じて、シャッター速度は変更させず、ゲイン量のみを変更させるように高速ＡＥ制御を実行する。
【００９８】
この構成により、待機状態における各露出パラメータの目標値として、シャッター速度は固定の値とし、ゲイン量は、露出が明るい側および暗い側の両方に最大限変更させることができるような値とすることができる。
【００９９】
したがって、本実施形態のビデオ１００は、被写体の輝度変化に応じて、ブレの影響を受け難いシャッター速度を固定してゲイン量のみを変更させることができるので、ブレに起因する画質の低下を抑制しつつ、短い時間で露出制御を実行することができる。すなわち、本実施形態のビデオ１００は、動画像の取得中に、露出追従範囲が狭くなることを抑制しつつ、輝度変化に応じて素早く露出制御を実行することができる。さらに、本実施形態のビデオ１００は、資料の輝度変化を検出したことに応じて、ユーザーの手ブレなどの外的な要因による画質の低下を抑制しつつ、短い時間で露出制御を実行できる。
【０１００】
なお、上述した露出制御は、ユーザーがビデオ１００を手に持った状態であって、ユーザーによる手ブレの影響が比較的大きいような場合に、優先的に実行することが望ましい。
【０１０１】
以上、本発明の好ましい実施形態について説明したが、本発明はこれらに限定されず、その要旨の範囲内で種々の変形および変更が可能である。例えば、ビデオ１００の内部に、ジャイロセンサーや加速度センサーなどを設け、当該センサーの出力に基づいてＣＰＵ（ブレ検出手段）１１１がビデオ１００のブレ量を検出する。そして、ＣＰＵ１１１によるブレ検出の結果に基づいて、前述した第２実施形態と第３実施形態で説明した露出制御処理を選択的に実行するような構成であってもよい。また、ユーザーによる操作入力に応じて、第２実施形態と第３実施形態で説明した露出制御処理を選択的に実行するような構成であってもよい。
【０１０２】
また、前述した実施形態では、高速ＡＥ制御および安定ＡＥ制御において、シャッター速度またはゲイン量の何れか一方を変更させる構成であったが、シャッター速度およびゲイン量を同時に変更させるような構成であってもよい。さらに、前述した実施形態では、安定ＡＥ制御において、絞り値またはＮＤフィルタの光の透過率の何れか一方を変更させる構成であったが、絞り値およびＮＤフィルタの光の透過率を同時に変更させるような構成であってもよい。
【０１０３】
また、前述した実施形態では、ＮＤフィルタ１０３が、撮像レンズ１０１と撮像素子１０４とを結ぶ光路中への挿抜を切替え可能、または、当該光路中における位置を変更可能な光学部材である場合について説明したが、これに限定されるものではない。例えば、ＮＤフィルタ１０３として、物性素子に印加する電圧を制御することで、各素子の透過率を制御するものを採用する構成であってもよい。この場合、ＮＤフィルタ１０３の光の透過率を変更して実行する露出制御を、ビデオ１００の各部の電気的な動作が主体となる制御してもよい。この場合、ＮＤフィルタ１０３の光の透過率は、前述した第２のパラメーターに該当する。
【０１０４】
なお、前述した実施形態では、撮像モードとしてプレゼンモードが設定されている場合について説明したが、ビデオ１００で設定可能な撮像モードはこれに限定されるものではない。上述した各実施形態の撮像装置としては、外部に映し出された資料を撮像する場合に、図２に図示した露出制御処理を実行する構成であればよい。
【０１０５】
また、前述した実施形態では、撮像モードがプレゼンモードに設定されている場合に露出制御処理を実行する構成であったが、これに限定されるものではない。例えば、スポットライトなどの急な点灯および暗転などを含む舞台やミュージカルなど、被写体の輝度が急激に変化し、当該輝度変化に応じて速やかに露出制御を実行したいようなシーンにおいて、前述した露出制御処理を実行するような構成であってもよい。なお、当該シーンは、ＣＰＵ１１１によって自動的に判別する構成でもよいし、ユーザーの手動操作に基づいて設定する構成でもよい。本実施形態のビデオ１００としては、少なくとも、動画像の取得中に被写体の輝度が急激に変化し、当該輝度変化に応じて速やかに露出制御を実行したいような場合に、前述した露出制御を実行する構成であればよい。
【０１０６】
また、前述した実施形態では、システム制御部１０９、露出制御部１１２、測光部１１３、輝度変化検出部１１４などが互いに連携して動作することで、ビデオ１００の動作を制御するような構成であったが、これに限定されるものではない。例えば、前述した図２に図示したフローに従ったプログラムを予めメモリ１１０に格納しておき、当該プログラムをＣＰＵ１１１などが実行することで、カメラの動作を制御するような構成であってもよい。なお、信号処理部１０７、システム制御部１０９、露出制御部１１２、測光部１１３、輝度変化検出部１１４、通信制御部１１５などを設けずに、ＣＰＵ１１１が各制御部および処理部の動作を実行するような構成であってもよい。
【０１０７】
また、プログラムの機能を有していれば、オブジェクトコード、インタプリタにより実行されるプログラム、ＯＳに供給するスクリプトデータ等、プログラムの形態を問わない。また、プログラムを供給するための記録媒体としては、例えば、ハードディスク、磁気テープ等の磁気記録媒体、光／光磁気記録媒体でもあってもよい。
【０１０８】
また、前述した実施形態では、本発明を実施する撮像装置の一例としてデジタルビデオカムコーダーについて説明したが、これに限定されるものではない。例えば、デジタルカメラやスマートフォンなどの可搬型デバイスなど、本発明はその要旨の範囲内で種々の撮像装置に適用することが可能である。
【０１０９】
（その他の実施形態）
また本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現できる。また、１以上の機能を実現する回路（例えば、ＡＳＩＣ）によっても実現できる。
【符号の説明】
【０１１０】
１００  デジタルビデオカムコーダー
１０４  撮像素子
１０９  システム制御部
１１２  露出制御部
１１３  測光部
１１４  輝度変化検出部
【図１】
2017028637.tif 000003
【図２】
2017028637.tif 000004
【図３】
2017028637.tif 000005
【図４】
2017028637.tif 000006
【図５】
2017028637.tif 000007
【図６】
2017028637.tif 000008